(57)【特許請求の範囲】
【請求項１】
患者における閉塞性睡眠時無呼吸症（OSA）の存在を診断する際に使う装置であって：
患者が覚醒している間に患者の首、舌および／または喉の筋肉における震顫を示すパラメータを測定するよう構成され、患者が覚醒している間に測定されたパラメータに基づいて一つまたは複数の電気信号を生成する感知モジュールと；
前記感知モジュールに動作上結合され、前記一つまたは複数の電気信号を受け取り、前記一つまたは複数の電気信号の解析を実行し、該解析に基づいて、前記震顫がOSAを示す少なくとも一つの所定の周波数範囲内の周波数をもつかどうかを判定するよう構成されているプロセッサとを有しており、前記少なくとも一つの所定の周波数範囲が覚醒中の患者の上気道の増大した代償性筋活動に関連しており該増大した代償性筋活動に特徴的である、
装置。
【請求項２】
前記少なくとも一つの所定の周波数範囲が100Hz未満である、請求項１記載の装置。
【請求項３】
前記少なくとも一つの所定の周波数範囲が30〜40Hzである、請求項２記載の装置。
【請求項４】
AC源をさらに有する請求項１記載の装置であって、前記感知モジュールは、患者の首または頭の離れた表面上に選択的に位置されるよう構成された源電極および一つまたは複数の収集電極を有し、前記AC源が生成した交流が前記源電極から流れ、前記パラメータは、前記一つまたは複数の収集電極によって収集される、前記震顫によって変調された電気信号を含む、装置。
【請求項５】
前記感知モジュールはEMGセンサーを有し、前記パラメータは患者の首、舌および／または喉の筋肉における筋電位の変化を含む、請求項１記載の装置。
【請求項６】
患者の首または頭に選択的に位置されるよう構成された活動測定センサーをさらに有する請求項５記載の装置であって、前記プロセッサは前記活動測定センサーから活動測定信号を受信し、前記活動測定信号を、前記一つまたは複数の電気信号の解析を実行するときに前記一つまたは複数の電気信号から動きアーチファクトを除去するために使う、装置。
【請求項７】
前記感知モジュールが、患者の首または頭に選択的に位置されるよう構成された活動測定センサーを有する請求項１記載の装置であって、前記パラメータは前記震顫によって引き起こされる動きを含む、装置。
【請求項８】
前記感知モジュールが、患者の身体を通る超音波を放出し、放出された超音波に応答して生成される戻りエコーを検出するよう構成された超音波トランスデューサ・プローブを有しており、前記パラメータが前記戻りエコーを含む、請求項１記載の装置。
【請求項９】
前記感知モジュールが、音放出器および音検出器を含む音モジュールを有しており、前記音モジュールが患者の口の外部付近または患者の口もしくは喉の中に選択的に位置されるよう、あるいは患者の喉を通って患者の咽頭領域中に選択的に挿入されるよう構成され、前記音放出器が第一の音を放出するよう構成され、前記音検出器が前記第一の音に応答して生成される第二の音を検出するよう構成され、前記パラメータが前記第二の音を含む、請求項１記載の装置。
【請求項１０】
前記感知モジュールが、呼吸している間に患者によって生成される気道音を検出するよう構成された音検出器を有し、前記パラメータが前記気道音を含む、請求項１記載の装置。
【請求項１１】
前記感知モジュールが、患者の首に選択的に位置され、患者の首、舌および／または喉の筋肉によって引き起こされる動きから帰結するひずみを検出するよう構成されたひずみ検出器を有しており、前記パラメータが前記ひずみを含む、請求項１記載の装置。
【請求項１２】
前記ひずみ検出器が、一つまたは複数のひずみゲージが取り付けられた柔軟な基板を有する、請求項１１記載の装置。
【請求項１３】
前記感知モジュールが、患者の頭、首または口の表面上または中に位置されるよう構成された流体で満たされた嚢と、嚢に動作上結合されたセンサーとを有しており、前記センサーは前記嚢に作用する力の結果としての前記嚢から排除される流体の量または前記嚢の容積変化を測定するよう構成されており、前記パラメータは前記嚢から排除される流体の量、前記嚢の容積変化または前記嚢内の圧力の変化を含む、請求項１記載の装置。
【請求項１４】
前記感知モジュールが、患者の気道中に音パルスを伝搬させ、前記音パルスに応答して生成される反射波を検出するよう構成された咽頭計を有しており、前記パラメータが前記反射波を含み、前記一つまたは複数の信号が前記音パルスおよび前記反射波に基づき、前記プロセッサによって実行される前記解析が、前記一つまたは複数の信号に基づいて複数の患者気道寸法測定値を生成することを含む、請求項１記載の装置。
【請求項１５】
前記感知モジュールが一つまたは複数の刺激電極および一つまたは複数の感知電極を有しており、前記一つまたは複数の刺激電極は標的神経または該標的神経を神経刺激する神経を刺激するよう構成されており、前記標的神経は患者の首、舌および／または喉の筋肉に関連しており、前記パラメータは前記一つまたは複数の感知電極によって収集された一つまたは複数の標的神経信号を含み、前記一つまたは複数の標的神経信号は前記震顫によって変調されている、請求項１記載の装置。
【請求項１６】
患者の鼻の開口および／または口の上に置かれて、所定量の気流抵抗または大気圧より上もしくは下の所定レベルの圧力を与えて、前記感知モジュールが前記パラメータを測定するのに先立って患者の呼吸の負荷またはバイアス圧力を変えるよう構成された流れ負荷添加／制御デバイスをさらに有する請求項１記載の装置。
【請求項１７】
患者における閉塞性睡眠時無呼吸症（OSA）の存在を診断する際に使う装置であって：
患者が覚醒している間に患者の首、舌および／または喉の筋肉における震顫を示す第一のパラメータを測定するよう構成された第一の感知モジュールであって、患者が覚醒している間に、測定された第一のパラメータに基づいて一つまたは複数の第一の電気信号を生成する第一の感知モジュールと、
患者が覚醒している間に患者の首、舌および／または喉の筋肉における震顫を示す、前記第一のパラメータとは異なる第二のパラメータを測定するよう構成された第二の感知モジュールであって、患者が覚醒している間に、測定された第二のパラメータに基づいて一つまたは複数の第二の電気信号を生成する第二の感知モジュールと、
第一の感知モジュールおよび第二の感知モジュールに動作上結合されたプロセッサとを有しており、前記プロセッサは：（ｉ）前記一つまたは複数の第一の電気信号を受け取り、前記一つまたは複数の第一の電気信号の第一の解析を実行し、該第一の解析に基づいて、前記震顫がOSAを示す少なくとも一つの所定の周波数範囲内の周波数をもつかどうかについての第一の判定をし、前記少なくとも一つの所定の周波数範囲は覚醒中の患者の上気道の増大した代償性筋活動に関連しており該増大した代償性筋活動に特徴的であり、（ｉｉ）前記一つまたは複数の第二の電気信号を受け取り、前記一つまたは複数の第二の電気信号の第二の解析を実行し、該第二の解析に基づいて、前記震顫がOSAを示す前記少なくとも一つの所定の周波数範囲内の周波数をもつかどうかについての第二の判定をし、（ｉｉｉ）少なくとも前記第一の判定および前記第二の判定に基づいて患者がOSAをもつかどうかを判定するよう構成される、
装置。
【請求項１８】
前記プロセッサが、前記第一の判定および前記第二の判定の両方が前記震顫が前記少なくとも一つの所定の周波数範囲内の周波数をもつと判定する場合にのみ患者がOSAをもつと判定するよう構成されている、請求項１７記載の装置。
【請求項１９】
前記少なくとも一つの所定の周波数範囲が100Hz未満である、請求項１８記載の装置。
【請求項２０】
前記少なくとも一つの所定の周波数範囲が30〜40Hzである、請求項１９記載の装置。
【請求項２１】
請求項１７記載の装置であって、患者が覚醒している間に患者の首、舌および／または喉の筋肉における震顫を示す、前記第一のパラメータおよび前記第二のパラメータとは異なる第三のパラメータを測定するよう構成された第三の感知モジュールであって、測定された第三のパラメータに基づいて一つまたは複数の第三の電気信号を生成する第三の感知モジュールをさらに有しており、前記プロセッサは、前記一つまたは複数の第三の電気信号を受け取り、前記一つまたは複数の第三の電気信号の第三の解析を実行し、該第三の解析に基づいて、前記震顫がOSAを示す前記少なくとも一つの所定の周波数範囲内の周波数をもつかどうかについての第三の判定をするよう構成されており、前記プロセッサは、少なくとも前記第一の判定、前記第二の判定および前記第三の判定に基づいて患者がOSAをもつかどうかを判定するよう構成されている、装置。
【請求項２２】
前記プロセッサが、前記第一の判定、前記第二の判定および前記第三の判定のうち少なくとも二つが、前記震顫が前記少なくとも一つの所定の周波数範囲内の周波数をもつと判定する場合に患者がOSAをもつと判定するよう構成されている、請求項２１記載の装置。
【請求項２３】
前記プロセッサが、前記第一の判定、前記第二の判定および前記第三の判定のそれぞれが、前記震顫が前記少なくとも一つの所定の周波数範囲内の周波数をもつと判定する場合にのみ患者がOSAをもつと判定するよう構成されている、請求項２１記載の装置。
【請求項２４】
患者の鼻の開口および／または口の上に置かれて、所定量の気流抵抗または大気圧より上もしくは下の所定レベルの圧力を与えて、前記第一の感知モジュールが前記第一のパラメータを測定し、前記第二の感知モジュールが前記第二のパラメータを測定するのに先立って患者の呼吸の負荷またはバイアス圧力を変えるよう構成された流れ負荷添加／制御デバイスをさらに有する請求項１７記載の装置。
【請求項２５】
患者における閉塞性睡眠時無呼吸症（OSA）の存在を診断する際に使う装置の作動方法であって：
感知モジュールが、患者が覚醒している間に患者の首、舌および／または喉の筋肉における震顫を示す第一のパラメータを測定する段階と；
プロセッサが、前記第一のパラメータに基づいて、前記震顫がOSAを示す少なくとも一つの所定の周波数範囲内の周波数をもつかどうかを判定する段階と；
前記プロセッサが、患者の首、舌および／または喉の筋肉における震顫を示すいかなるパラメータの測定にも基づかない第二の評価手法を使って患者がOSAの可能性が高いかどうかを評価する段階と；
前記プロセッサが、少なくとも前記判定する段階が前記震顫が前記少なくとも一つの所定の周波数範囲内の周波数をもつと判定し、かつ、前記評価する段階がその患者がOSAの可能性が高いと判定する場合にのみ、その患者がOSAをもつと判定する段階とを含む、
方法。
【請求項２６】
前記第一のパラメータが患者の気道を通じた気流ではない、請求項２５記載の方法。
【請求項２７】
前記少なくとも一つの所定の周波数範囲が100Hz未満である、請求項２５記載の方法。
【請求項２８】
前記少なくとも一つの所定の周波数範囲が30〜40Hzである、請求項２７記載の方法。
【請求項２９】
前記第二の評価手法が患者の気道音の測定データに基づく、請求項２５記載の方法。
【請求項３０】
前記第二の評価手法が患者の口腔の複数の寸法に基づく、請求項２５記載の方法。
【請求項３１】
前記第二の評価手法がOSAを示す患者のバイオマーカーの測定データに基づく、請求項２５記載の方法。
【請求項３２】
患者における閉塞性睡眠時無呼吸症（OSA）の存在を診断する際に使う装置の作動方法であって：
感知モジュールが患者が覚醒している間に患者の首、舌および／または喉の筋肉における震顫を示すパラメータを測定する段階であって、前記パラメータは患者の気道を通じた気流ではない、段階と；
プロセッサが、前記パラメータに基づいて、前記震顫がOSAを示す少なくとも一つの所定の周波数範囲内の周波数をもつかどうかを判定する段階と；
前記プロセッサが、前記判定する段階が前記震顫が前記少なくとも一つの所定の周波数範囲内の周波数をもつと判定する場合にのみその患者がOSAをもつと判定する段階とを含む、
方法。
【請求項３３】
前記少なくとも一つの所定の周波数範囲が100Hz未満である、請求項３２記載の方法。
【請求項３４】
前記少なくとも一つの所定の周波数範囲が30〜40Hzである、請求項３３記載の方法。
【請求項３５】
患者における閉塞性睡眠時無呼吸症（OSA）の存在を診断する際に使う装置の作動方法であって：
感知モジュールが、患者が覚醒している間に患者の首、舌および／または喉の筋肉における震顫を示す第一のパラメータを測定する段階と；
前記感知モジュールが、患者が覚醒している間に患者の首、舌および／または喉の筋肉における震顫を示す、前記第一のパラメータとは異なる第二のパラメータを測定する段階と；
プロセッサが、前記第一のパラメータに基づいて、前記震顫がOSAを示す少なくとも一つの所定の周波数範囲内の周波数をもつかどうかについての第一の判定をする段階と；
前記プロセッサが、前記第二のパラメータに基づいて、前記震顫がOSAを示す前記少なくとも一つの所定の周波数範囲内の周波数をもつかどうかについての第二の判定をする段階と；
前記プロセッサが、少なくとも前記第一の判定および前記第二の判定に基づいて患者がOSAをもつかどうかを判定する段階とを含む、
方法。
【請求項３６】
患者がOSAをもつかどうかを判定する前記段階が、前記第一の判定および前記第二の判定の両方が前記震顫が前記少なくとも一つの所定の周波数範囲内の周波数をもつと判定する場合にのみ患者がOSAをもつと判定することを含む、請求項３５記載の方法。
【請求項３７】
前記少なくとも一つの所定の周波数範囲が100Hz未満である、請求項３５記載の方法。
【請求項３８】
前記少なくとも一つの所定の周波数範囲が30〜40Hzである、請求項３７記載の方法。
【発明の詳細な説明】
【技術分野】
【０００１】
本発明は閉塞性睡眠時無呼吸の診断に、詳細には覚醒した患者から該患者における閉塞性睡眠時無呼吸の診断に使うことのできる情報を収集する装置および方法に関する。
【背景技術】
【０００２】
閉塞性睡眠時無呼吸（OSA:  obstructive  sleep  apnea）は、被験者が呼吸しようと努力を続けるにもかかわらず、被験者が睡眠中に気流の減少または完全な停止を経験する状態である。こうした事象は睡眠中に筋が弛緩して、喉の奥の軟組織がつぶれて上気道を塞ぐときに生じる。これは呼吸の部分的な減少（減呼吸として知られる）および完全な一時停止（無呼吸として知られる）につながる。無呼吸事象は、睡眠中に少なくとも10秒にわたって気流が停止することと定義される。減呼吸は、ベースラインに比べて胸腹運動または気流の少なくとも30パーセントの低下があり、少なくとも4パーセントの酸素脱飽和がある状態が少なくとも10秒続く異常な呼吸事象として定義される。たいていの無呼吸事象は10秒から30秒続くが、場合によっては１分以上持続することもある。これは血中酸素飽和度の急激な低下につながり、重篤な場合には酸素レベルが40パーセント以上降下する。
【０００３】
こうした無呼吸事象は、被験者を短時間覚醒させ、それにより正常な呼吸を回復する。こうした無呼吸は夜間に十数ないし数百回起こることがあるので、引き起こされる中断のため被験者は日中非常に疲れている結果となる。
【０００４】
睡眠時無呼吸の一般的な指標は無呼吸・減呼吸指数（AHI:  apnea-hypopnea  index）である。これは、睡眠１時間当たりに起こる無呼吸および減呼吸の組み合わされた回数を表す数である。次の分類がよく使われる：
AHI＜5        OSAなし／健康
5＜AHI＜15    軽度のOSA
15＜AHI＜30    中等度のOSA
30＜AHI        重度のOSA。
【０００５】
一般に、閉塞性睡眠時無呼吸は睡眠ラボで診断される。しかしながら、睡眠時無呼吸を患うたいていの患者は、決して適正に診断されない。初期診療医はしばしば日中の疲労および貧弱な睡眠の症状を、睡眠剤や同様の薬を処方することによって扱うからである。高い費用と長い待ち時間のため、医師は、患者をすぐ睡眠ラボに送ることはためらうことがある。通例、他のすべての治療の試みが失敗したときに初めて患者は送られ、患者は悪い睡眠と日中の眠気を訴え続けることになる。しかしながら、ひとたびOSAが疑われる患者が睡眠ラボに送られると、OSAは約85%の場合において確証される。
【０００６】
睡眠ラボではOSAは、一夜または数夜にわたって患者が寝ている間に実行される「ポリソムノグラフィー」を援用して診断される。ポリソムノグラフィーは脳電図（EEG:  electroencephalogram）、心電図（ECG:  electrocardiogram）、眼球運動図（EOG:  electroculogram）、筋電図（EMG:  electromyogram）および／または呼吸用胸部帯（respiratory  chest  bands）の使用や鼻気流、血中酸素レベルおよび／または他の生理パラメータの測定に関わることができる。ポリソムノグラフィーには多数のセンサーおよびデバイスが必要とされるので、この手順は患者にとってあまり快適でも便利でもない。
【０００７】
一般に、ポリソムノグラフィー・データにおける無呼吸および減呼吸の事象は、医師がデータの短い区間（ほぼ30秒）を手動で調べてそうした区間の重要性を個々に格付けすることによって識別される。無呼吸事象は、胸郭および腹部の呼吸運動は続いている間の患者の鼻腔を通じた気流の停止（またはほぼ停止すること）によって特徴付けられる。識別される事象の数が計数され、１時間当たりの事象の平均数が患者がOSAをもつかどうかおよびもつとしたらその重篤度の指標として使われる。しかしながら、すべての無呼吸および減呼吸事象を検出して数えるために一晩全体をカバーするデータをスキャンして患者のAHI値を決定するためにはかなりの努力が必要とされる。
【０００８】
患者のいびきの音の調査を伴う、OSAを診断する代替的な技法が提案されている。そのような一つの技法が非特許文献１に記載されている。しかしながら、この技法も、患者が睡眠ラボに赴き、眠っている間にモニタリングを受ける必要がある。
【先行技術文献】
【特許文献】
【０００９】
【特許文献１】欧州特許出願第10185347.1号
【特許文献２】米国特許第6,379,311号
【特許文献３】米国特許第7,559,903号
【特許文献４】米国特許第6,048,322号
【特許文献５】米国特許第6,213,959号
【特許文献６】米国仮特許出願第61/361,037号
【非特許文献】
【００１０】
【非特許文献１】Ng  et  al.,  "Investigation  of  Obstructive  Sleep  Apnea  Using  Nonlinear  Mode  Interactions  in  Nonstationary  Snore  Signals",  Annals  of  Biomedical  Engineering,  Vol.37,  No.9,  September  2009,  pp.1796-1806
【非特許文献２】"Eccovision  Acoustic  Pharyngometry  System  Operator  Manual"、E.Benson  Hood  Laboratories,  Inc.によって刊行
【非特許文献３】Chest  2011;  139(2):  246-252
【発明の概要】
【発明が解決しようとする課題】
【００１１】
したがって、患者が起きている間に使用できる、OSAスクリーニングを診断するためのより効率的な方法および装置が必要とされている。そのような方法および装置は、OSAが疑われるまたはOSAの可能性があるより多くの患者を診断できるようにし、症状について適切な治療を受けるOSA患者の数を増やすであろう。
【課題を解決するための手段】
【００１２】
ある実施形態では、患者における閉塞性睡眠時無呼吸症（OSA）の存在を診断する際に使う装置であって、患者が覚醒している間に患者の首、舌および／または喉の筋肉における震顫を示すパラメータを測定するよう構成された感知モジュールを含んでおり、前記パラメータは患者の気道を通じた気流であるとは限られない、装置が提供される。感知モジュールは測定されたパラメータに基づいて一つまたは複数の電気信号を生成する。本装置はまた、感知モジュールに動作上結合されたプロセッサをも含んでおり、前記プロセッサは前記一つまたは複数の電気信号を受け取り、前記一つまたは複数の電気信号の解析を実行し、該解析に基づいて、前記震顫がOSAを示す少なくとも一つの所定の周波数範囲内の周波数をもつかどうかを判定するよう構成される。
【００１３】
もう一つの実施形態では、患者における閉塞性睡眠時無呼吸症（OSA）の存在を診断する際に使う装置であって、（ｉ）患者が覚醒している間に患者の首、舌および／または喉の筋肉における震顫を示す第一のパラメータを測定するよう構成された第一の感知モジュールであって、測定された第一のパラメータに基づいて一つまたは複数の第一の電気信号を生成する第一の感知モジュールと、（ｉｉ）患者が覚醒している間に患者の首、舌および／または喉の筋肉における震顫を示す、前記第一のパラメータとは異なる第二のパラメータを測定するよう構成された第二の感知モジュールであって、測定された第二のパラメータに基づいて一つまたは複数の第二の電気信号を生成する第二の感知モジュールとを含む、装置が提供される。本装置はまた、第一の感知モジュールおよび第二の感知モジュールに動作上結合されたプロセッサをも含んでおり、前記プロセッサは：（ｉ）前記一つまたは複数の第一の電気信号を受け取り、前記一つまたは複数の第一の電気信号の第一の解析を実行し、該第一の解析に基づいて、前記震顫がOSAを示す少なくとも一つの所定の周波数範囲内の周波数をもつかどうかについての第一の判定をし、（ｉｉ）前記一つまたは複数の第二の電気信号を受け取り、前記一つまたは複数の第二の電気信号の第二の解析を実行し、該第二の解析に基づいて、前記震顫がOSAを示す前記少なくとも一つの所定の周波数範囲内の周波数をもつかどうかについての第二の判定をし、（ｉｉｉ）少なくとも前記第一の判定および前記第二の判定に基づいて患者がOSAをもつかどうかを判定するよう構成される。
【００１４】
さらにもう一つの実施形態では、患者における閉塞性睡眠時無呼吸症（OSA）の存在を診断する方法であって、患者が覚醒している間に患者の首、舌および／または喉の筋肉における震顫を示す第一のパラメータを測定する段階と、前記第一のパラメータに基づいて、前記震顫がOSAを示す少なくとも一つの所定の周波数範囲内の周波数をもつかどうかを判定する段階と、患者の首、舌および／または喉の筋肉における震顫を示すいかなるパラメータの測定にも基づかない第二の評価方法論を使って患者がOSAの可能性が高いかどうかを評価する段階と、少なくとも前記判定する段階が前記震顫が前記少なくとも一つの所定の周波数範囲内の周波数をもつと判定し、前記評価する段階がその患者がOSAの可能性が高いと判定する場合にのみその患者がOSAをもつと判定する段階とを含む、方法が提供される。
【００１５】
もう一つの実施形態では、患者における閉塞性睡眠時無呼吸症（OSA）の存在を診断する方法であって、患者が覚醒している間に患者の首、舌および／または喉の筋肉における震顫を示す第一のパラメータを測定する段階であって、前記パラメータは患者の気道を通じた気流ではない、段階と、前記パラメータに基づいて、前記震顫がOSAを示す少なくとも一つの所定の周波数範囲内の周波数をもつかどうかを判定する段階と、前記判定する段階が前記震顫が前記少なくとも一つの所定の周波数範囲内の周波数をもつと判定する場合にのみその患者がOSAをもつと判定する段階とを含む、方法が提供される。
【００１６】
さらにもう一つの実施形態では、患者における閉塞性睡眠時無呼吸症（OSA）の存在を診断する方法であって、患者の呼吸の負荷またはバイアス圧力を変えるよう、患者に対して、所定の量の気流抵抗または大気圧より上または下の圧力のレベルを提供する段階と、前記提供する段階に続いて、患者が覚醒している間に患者の首、舌および／または喉の筋肉における震顫を示すパラメータを測定する段階と、前記パラメータに基づいて、前記震顫がOSAを示す少なくとも一つの所定の周波数範囲内の周波数をもつかどうかを判定する段階と、前記判定する段階が前記震顫が前記少なくとも一つの所定の周波数範囲内の周波数をもつと判定する場合にのみその患者がOSAをもつと判定する段階とを含む、方法が提供される。
【００１７】
もう一つの実施形態では、患者における閉塞性睡眠時無呼吸症（OSA）の存在を診断する方法であって、患者が覚醒している間に患者の首、舌および／または喉の筋肉における震顫を示す第一のパラメータを測定する段階と、患者が覚醒している間に患者の首、舌および／または喉の筋肉における震顫を示す、前記第一のパラメータとは異なる第二のパラメータを測定する段階と、前記第一のパラメータに基づいて、前記震顫がOSAを示す少なくとも一つの所定の周波数範囲内の周波数をもつかどうかについての第一の判定をする段階と、前記第二のパラメータに基づいて、前記震顫がOSAを示す前記少なくとも一つの所定の周波数範囲内の周波数をもつかどうかについての第二の判定をする段階と、少なくとも前記第一の判定および前記第二の判定に基づいて患者がOSAをもつかどうかを判定する段階とを含む方法が提供される。
【００１８】
本発明のこれらおよびその他の目的、特徴および特性ならびに構造の関係する要素の動作方法および機能ならびに諸部分の組み合わせおよび製造の経済性は、付属の図面を参照して以下の記述および付属の請求項を吟味することで一層明白となるであろう。これら一切は本明細書の一部をなす。同様の参照符号はさまざまな図面において対応する部分を指示する。しかしながら、図面は例解のためであり、本発明の外縁の定義としては意図されていないことははっきりと理解しておくものとする。
【図面の簡単な説明】
【００１９】
【図１】患者が覚醒している間に患者から収集される気流データに基づく患者におけるOSAの検出において使用できる例示的な装置の概略図である。
【図２】図１の装置によってまたは該装置において実行される動作を示す機能図である。
【図３】患者が覚醒している間に患者から収集される、患者の首または喉領域における変調されたインピーダンスの測定に基づくデータに基づく患者におけるOSAの検出において使用できる例示的な装置の概略図である。
【図４】患者が覚醒している間に患者から収集される、喉の筋肉の潜在的な変化に基づくデータに基づく患者におけるOSAの検出において使用できる例示的な装置の概略図である。
【図５】患者が覚醒している間に患者から収集される、活動測定（actimetry）に基づくデータに基づく患者におけるOSAの検出において使用できる例示的な装置の概略図である。
【図６】患者が覚醒している間に患者から収集される、喉の筋肉の潜在的な変化および活動測定（actimetry）の両方に基づく動き／位置データに基づく患者におけるOSAの検出において使用できる例示的な装置の概略図である。
【図７】患者が覚醒している間に患者から収集される、超音波測定を用いるデータに基づく患者におけるOSAの検出において使用できる例示的な装置の概略図である。
【図８】患者が覚醒している間に患者から収集される、音波生成および検出を用いるデータに基づく患者におけるOSAの検出において使用できる例示的な装置の概略図である。
【図９】患者が覚醒している間に患者から収集される、気道音検出を用いるデータに基づく患者におけるOSAの検出において使用できる例示的な装置の概略図である。
【図１０】ひずみ測定に基づくOSA検出の方法を実装するために使用できる例示的な装置の概略図である。
【図１１】流体で満たされた嚢(のう)を使うOSA検出の方法を実装するために使用できる例示的な装置の概略図である。
【図１２】音響咽頭計測を使うOSA検出の方法を実装するために使用できる例示的な装置の概略図である。
【図１３】誘発電位／神経伝導（evoked  potential/nerve  conduction）を使うOSA検出の方法を実装するために使用できる例示的な装置の概略図である。
【図１４】OSAに関連する特徴的な震顫を検出する複数の方法および／または装置を用いるOSAを検出する例示的な装置の概略図である。
【図１５】OSAに関連する特徴的な震顫を検出することに基づくものとOSAに関連する特徴的な震顫を検出することに基づかないものを含む方法の組み合わせを用いるOSAを検出する例示的な装置の概略図である。
【図１６】OSAに関連する特徴的な震顫を検出することに基づくものとOSAに関連する特徴的な震顫を検出することに基づかないものを含む方法の組み合わせを用いるOSAを検出する例示的な装置の概略図である。
【図１７】OSAに関連する特徴的な震顫を検出することに基づく方法を用いるOSAを検出する例示的な装置および流れ負荷添加／制御装置の概略図である。
【発明を実施するための形態】
【００２０】
本稿での用法では、単数形は、文脈が明確にそうでないことを指定するのでない限り、複数の言及を含む。本稿での用法では、二つ以上の部分または構成要素が「結合される」という陳述はそれらの部分が直接的または間接的に、すなわち一つまたは複数の中間部分または構成要素を通じて、一緒にされるまたは一緒に動作することを意味する。つながりが生じさえすればよい。本稿での用法では、「直接結合される」は二つの要素が直接互いに接触していることを意味する。本稿での用法では、「固定的に結合される」または「固定される」は、二つの構成要素が、互いに対する一定の配向を維持しながら一体として動くよう結合されることを意味する。
【００２１】
本稿での用法では、「単体的な（unitary）」はある構成要素が単一片またはユニットとして創り出されることを意味する。すなわち、別個に創り出されてその後ユニットとして一緒に結合される複数の片は「単体的な」構成要素またはボディではない。本稿での用法では、二つ以上の部分または構成要素が互いに「係合する」との陳述は、それらの部分が互いに対して直接的にまたは一つまたは複数の中間部分または構成要素を通じて力を及ぼすことを意味する。本稿での用法では、用語「数」は一または二つ以上の整数（すなわち複数）を意味する。
【００２２】
本稿で用いられる方向に関する句、たとえば限定するものではないが上、下、左、右、上部、下部、前、後およびそれらの派生形は、図面に示される要素の配向に関するものであり、請求項に明示的に記載されているのでない限り請求項に対して限定するものではない。
【００２３】
OSAを患う患者は、覚醒中に上気道（首、舌および／または喉の筋肉）の代償性筋活動（compensatory  muscular  activation）が増大する。この筋活動は、オトガイ舌筋（GG:  genioglossus）において特に顕著であると思われる。オトガイ舌筋は顎から舌に走る人体の筋肉である。GG筋は舌を突き出す（または突出させる）ことを受け持つ主要な筋肉である。この増大した代償性筋活動は筋肉の増大した緊張性（tonic）活動に、吸気中の増大した負圧生成が組み合わさったものの産物であると思われる。
【００２４】
さらに、覚醒中の増大した代償性筋活動は上気道における特徴的な震顫につながる。本発明の被譲渡者によって実行された試験は、前記震顫が、OSAとの関連および非OSA患者との非関連をもつ特定の特徴的な周波数を示すことを判別した。一つのそのような特性周波数は30〜40Hzの範囲にあることが見出されたが、他の範囲も可能である。よって、睡眠障害OSAによって引き起こされる襲撃（assault）の、長引く（lingering）特定的な日中のシグネチャがある。
【００２５】
さらに、本発明の被譲渡者は、増大した筋（たとえばGG）活動から帰結する震顫が呼吸気流を（前記特性周波数（単数または複数）で）変調すると仮定し、特徴的な震顫によって引き起こされる呼吸気流の変調を検出することを含むOSA診断のためのシステムおよび方法を開発した。そのシステムおよび方法は、「Apparatus  and  Method  for  Collecting  Information」という名称の特許文献１において詳述されている。この出願の開示はここに参照によって組み込まれる。そのシステムおよび方法について、以下でも述べる。
【００２６】
図１は、特許文献１の、患者が覚醒している間に患者から収集されるデータに基づく、患者におけるOSAの検出において使用できる例示的な装置２を示している。この例示的な実施形態では、装置２は、患者による吸気および呼気の間に空気の流れの測定を提供するための、呼吸気流記録器（pneumotachograph）のような気流測定装置４を有する。知られているように、呼吸気流記録器４は、患者が装着することができる鼻マスク、顔マスクまたはマウスピース６と、該鼻マスク、顔マスクまたはマウスピース６に接続された、該鼻マスク、顔マスクまたはマウスピース６を通じて患者によって吸気または呼気される空気の流れを測定して圧力差として出力を提供する呼吸気流計（pneumotachometer）８と、呼吸気流計８に接続され、圧力差出力を電気信号、好ましくはデジタル・サンプルに変換する圧力トランスデューサ１０とを有する。
【００２７】
電気信号は呼吸気流記録器４内の圧力トランスデューサ１０からプロセッサ１２に与えられ、そこで処理されて、患者がOSAのような睡眠に関係した呼吸障害をもつかどうかを判定するために医師によって使用されることができる。プロセッサ１２は、その処理の結果の視覚的な指示（患者の診断において医師によって使用される情報および／または実装によっては患者がOSAもしくは他の呼吸障害をもつかどうかの指示など）を提供するディスプレイ１４に接続される。プロセッサ１２は、呼吸気流記録器４から出力される電気信号をプロセッサ１２による処理の前に記憶できるメモリ１６にも接続される。メモリ１６は、前記電気信号に対してプロセッサ１２によって実行された処理の結果（単数または複数）も記憶できる。
【００２８】
図示した実施形態では、プロセッサ１２、ディスプレイ１４およびメモリ１６は、呼吸気流記録器４とは別個のユニットをなす処理ユニット１８に含まれている。この場合、呼吸気流記録器４からの電気信号は処理ユニット１８内のプロセッサ１２に、接続線を介して、WiFi、ブルートゥースなどを使って無線で、または他の任意の好適な手段によって与えられることができる。しかしながら、代替的な実装では、呼吸気流記録器４および処理ユニット１８は単一の筐体内に設けられることもできる。いずれの場合も、装置２は好ましくは試験手順の間、患者に不相応な不快さを与えることなく、患者が容易に保持したり身につけたりできる軽量デバイスとして実装される。
【００２９】
図１には示されていないが、装置２（特に処理ユニット１８）は、装置２のユーザーがコマンドおよび／または患者固有のデータをプロセッサ１２に入力できるようにするためのユーザー・インターフェースおよび／または装置２が外部電源とは独立に動作させられる場合のバッテリーのような内部電源といった、追加的なコンポーネントを含んでいてもよいことは理解されるであろう。
【００３０】
さらに、代替的な実施形態では、呼吸気流記録器４は、鼻カニューレのような気流の測定を提供できる代替手段によって置換されることもできる。
【００３１】
図２は、装置２によってまたは装置２において実行される動作を示す機能図である。第一段階３２では、患者が覚醒している間の呼吸中の患者の肺へのおよび患者の肺からの気流を表す電気信号が呼吸気流記録器４から収集される。電気信号は好ましくは、それぞれのサンプリング時点における気流の大きさ（すなわちレート）を表すデジタル・サンプルを含む。上記で示唆したように、第一段階３２は患者が覚醒している間に実行される。
【００３２】
気流レートのサンプルはプロセッサ１２に渡され、そこで処理されて、患者の呼吸状態に関係する情報を与える。いくつかの実施形態では、この情報は閉塞性睡眠時無呼吸を診断する際に医師を支援するために、医師に呈示される。他の実施形態では、プロセッサ１２はさらに、その情報を処理して、患者がOSAをもつかどうかの指示を与えることができる。これは、たとえばディスプレイ１４を使って、装置２によって操作者（医師など）に対して出力されることができる。
【００３３】
生のサンプル・データはアーチファクトを含むことがあることが見出されている。アーチファクトはその後の処理段階において実行される解析の品質に影響することがある。よって、生のサンプル・データの品質を評価し、その後の処理段階において使われるべき一つまたは複数の呼吸サイクルのために前記データの部分集合を選択する段階を提供することが望ましい。よって、プロセッサ１２によって実行される第一の処理段階は前処理段階であり（図２の段階３４）、そこでは生サンプル・データが処理されて、その後の処理段階において使われるべきN個の呼吸サイクル（一呼吸サイクルは相続く吸気および呼気を含む）を識別する。好ましくは、選択されるN個の呼吸サイクルは、患者についての平均呼吸サイクルに最もよく当てはまる呼吸サイクルである。ある個別的な実施形態では、Nは12である。ただし、Nは任意の正の整数値を取ることができる。
【００３４】
例示的な実施形態におけるN個の呼吸サイクルの選択は次のように実行される。第一に、生のサンプル・データが個々の呼吸サイクル、好ましくは個々の吸気および呼気セグメントに分離される。各吸気および呼気の間の遷移点（すなわち、患者が吸気後に吐きはじめる、吸気後に吐きはじめるところ）はサンプル・データにおけるゼロ交差から容易に識別できる。
【００３５】
次に、呼吸サイクルまたは個々の吸気および呼気セグメントが一つまたは複数の基準、たとえば最小長さ、平均長さからの偏差（全体でおよび吸気および呼気セグメントについて別個に）および平均形からの偏差を使ってフィルタ処理される。要求される基準を最もよく満たすN個のサイクルまたはセグメントがプロセッサ１２によるさらなる解析のために選択される。
【００３６】
本発明のある実施形態では、患者が試験装置２につながれる時間の長さを減らすため、プロセッサ１２は、データが収集される間に前記前処理段階を実行することができ、ひとたびN個の呼吸サイクルのためのデータが収集されたら試験を止めることができるという患者または装置２の他のユーザーに対する指示を提供することができる。
【００３７】
前処理段階後、プロセッサ１２は、周波数解析段階３６を実行する。ここでは、サンプル・データは周波数領域に変換され、平均周波数スペクトルが計算される。特に、スライディング窓高速フーリエ変換（FFT:  Fast  Fourier  Transform）が各個々の呼吸サイクルに適用されて、周波数スペクトルを与える。
【００３８】
いくつかの実装では、スライディング窓FFTは各完全な吸気または呼気セグメントに適用されることができる。あるいはまた、他の実施形態では、スライディング窓FFTは、ピーク気流（すなわち気流レートが極大になるところ）のまわりの、各吸気および呼気セグメントの一部のみに適用される。換言すれば、スライディング窓FFTは、各吸気および呼気の間にピーク気流が生じるところのサンプルにおいておよび該サンプルのまわりで適用される。この狭いスライディング窓アプローチが、プロセッサ１２によるその後の解析において使うためによりよいデータセットを提供することが見出された。次いでN個の周波数変換された呼吸サイクルは平均されて吸気および呼気のための別個の平均周波数スペクトルを与える。
【００３９】
OSAのような呼吸障害のある患者についての気流サンプル・データから得られた周波数スペクトルは健康な患者から得られた周波数スペクトルとは異なることが見出された。たとえば、100Hzより下のある種の周波数範囲または帯域、最も顕著には18〜22Hzおよび30〜40Hzの周波数帯において変化が同定された。特に、健康な患者に比べOSAの患者については、30〜40Hzの周波数帯では上昇が、18〜22Hzの周波数帯では低下がある。同様の特徴が平均吸気周波数スペクトルにおいて見出された。
【００４０】
よって、プロセッサ１２は、周波数解析処理段階３６において決定された周波数スペクトル（単数または複数）から一つまたは複数のパラメータについての値を抽出する。特に、少なくとも一つのパラメータについての値が、100Hzより下の諸周波数をカバーする一つまたは複数の周波数帯における信号から決定される。本発明によれば、特徴抽出段階３８においてさまざまな異なるパラメータを抽出することができる。
【００４１】
抽出できる一つのパラメータは、第一の周波数帯、たとえば20〜50Hzまたはより特定的に25〜45Hzまたはさらに特定的に30〜40Hzの範囲における平均呼気（exhalation）周波数振幅（fex30-40と記す）と、第二の周波数帯、たとえば12〜30Hzまたはより特定的に15〜25Hzまたはさらに特定的に18〜22Hzの範囲における平均呼気周波数振幅（fex18-22と記す）との間の差である。パラメータ値はfex30-40−fex18-22によって与えることができ、上記の観察によれば、健康な患者についてのパラメータの値は一般に負であり、一方、OSAの患者については一般に値はより高くなる。こうして、このパラメータの値は、医師または装置２によって、患者がOSAをもつかどうかを診断するために使用できる。当業者は、同様のパラメータについての値が、これらのまたは同様の周波数範囲における平均吸気周波数振幅間の差から得られることを認識するであろう。
【００４２】
抽出できるもう一つのパラメータは、第三の周波数帯、たとえば0〜20Hzまたはより特定的に0〜15Hzまたはさらに特定的に0〜10Hzの範囲における平均呼気周波数振幅（fex0-10と記す）と、同じまたは同様の周波数帯、たとえば0〜20Hzまたはより特定的に0〜15Hzまたはさらに特定的に0〜10Hzの範囲における平均吸気周波数振幅（fin0-10と記す）との間の差である。パラメータ値はfex0-10−fin0-10によって与えることができる。このパラメータの値は健康な患者については一般にゼロに近く、一方、OSAの患者については一般に値はより高くなる。こうして、上記の第一のパラメータと同様に、このパラメータの値は、医師または装置２によって、患者がOSAをもつかどうかを診断するために使用できる。
【００４３】
抽出できるさらなるパラメータは、吸気または呼気についての0〜100Hzの範囲における平均周波数振幅（適宜fin0-100またはfex0-100と記す）と100Hzより上の周波数での「ノイズ」レベルとの間の差である。
【００４４】
当業者は、特定の周波数帯における平均呼気または吸気周波数振幅が、指定された周波数帯における周波数領域信号の振幅を平均することによって周波数解析段階３６の出力から得ることができることを理解するであろう。
【００４５】
また、本発明は上記の特定のパラメータの抽出に限定されるものではなく、患者の呼吸状態を特徴付けるために有用な情報が当業者によって容易に考えられることのできるさまざまな他のパラメータから得られることも理解されるであろう。特に、パラメータは、上記で指定した以外の周波数帯から抽出されることができる。さらに、パラメータ（単数または複数）が指定された周波数帯における平均振幅に基づくことは本質的ではない。その周波数帯における周波数スペクトルのプロットの下の面積のような他の数学的演算を使って、または振幅の二乗から、匹敵する結果を導出することができるのである。
【００４６】
周波数領域における信号から一つまたは複数のパラメータについての値を抽出することに加えて、プロセッサ１２は、特徴抽出段階３８の間に呼吸気流記録器４によって与えられる時間領域サンプル（生データでも前処理段階３４のあとのデータでもよい）から他のパラメータについての値を抽出することができる。たとえば、プロセッサ１２は、平均呼吸サイクル長および吸気の長さと呼気の長さの平均比といった時間領域の特徴を抽出できる。
【００４７】
ひとたび必要とされるパラメータ値がデータから抽出されたら、プロセッサ１２はそれらのパラメータ値を医師または他の医療ケア専門家に、患者に対する診断に到達するために該医師を支援することにおいて使うためにディスプレイ１４（またはプリンタで生成された文書のような他の視覚出力）を介して呈示することができ、あるいはプロセッサ１２はそれらのパラメータ値を単一の有用なスコア値に組み合わせるさらなる処理段階を実行することもできる。この特徴組み合わせ段階４０において、プロセッサ１２は複数のパラメータの抽出された値を呼吸障害の診断において支援するために使われることのできる単一のスコアに組み合わせることができる。上記のパラメータのいくつかの値に基づくスコアが、個々のパラメータ値よりも呼吸障害の信頼できる診断においてより有用であることが見出されている。
【００４８】
さらなる諸実施形態では、スコアは、ボディーマス指数（BMI:  body-mass  index）、年齢、性別、マランパティ（Mallampati）スコア等といった患者に関係した他のパラメータに基づくこともできる。これらのパラメータは患者または操作者によって装置２に手動で入力されることができる。
【００４９】
本発明者らは、上記の特徴的な震顫または上記の特徴的な震顫から帰結する気道構造の体積変化を検出するために使用されうるいくつかの代替的な測定デバイスおよび／または方法を着想した。これらの代替的な感知デバイスおよび／または方法の一つまたは複数は単独で、上記の特徴的な震顫によって引き起こされる呼吸気流の変調を検出する方法との組み合わせで、あるいは任意の組み合わせで、OSA診断および／または評価の精度を改善するために用いられてもよい。
【００５０】
一つのそのような代替的な方法によれば、増大した筋（たとえばGG筋）活動から帰結する震顫が、OSAを患う人における覚醒中の（前記特徴的な周波数（単数または複数）での）喉または顎を横断してのインピーダンスを変調すると仮定されている。図３は、患者が起きている間に患者から収集される、上記の変調されたインピーダンスの検出に基づくデータに基づく患者のOSA検出において使用されることのできる例示的な装置５０を示している。この例示的な実施形態では、装置５０は源電極５２および一つまたは複数の収集電極５４を有する。源電極５２および収集電極（単数または複数）５４は、患者の首または頭部の互いに反対側または分離した表面に選択的に位置されるよう構成される。装置５０は、交流（AC）源５８、プロセッサ６０、メモリ６２およびディスプレイ６４を収容する主筐体５６をも含む。
【００５１】
動作では、小さな交流（たとえば0.5mA未満の100kHzの電流）がAC源５８によって生成され、源電極５２から収集電極（単数または複数）５４に流れるようにされる。電流および／または電圧信号の振幅は、喉の筋肉（たとえばGG筋）の動き（震顫）によって変調される。収集電極５４によって収集された電気信号が、プロセッサ６０に与えられる。プロセッサ６０は、（一つまたは複数のソフトウェア・プログラム・ルーチンを使って）患者がOSAをもつかどうかを判定するために、もしあればOSAに関連する特徴的な変調（たとえば30〜40Hzまたは他の何らかの周波数範囲（単数または複数））を識別するために、受領された信号の振幅を調べる。プログラムされたプロセッサ６０はディスプレイ６４に接続され、ディスプレイ６４は処理の結果の視覚的な指示を与える。プロセッサ６０はメモリ６２にも接続されており、メモリ６２が、プロセッサ６０による処理に先立って収集電極５４によって収集された電気信号を、該電気信号に対してプロセッサ６０によって実行された処理の任意の結果（単数または複数）とともに記憶できるようになっている。患者の血流パルスおよび呼吸ならびに他のパラメータも、収集電極５４によって収集された信号から別個に検出されてもよく、診断目的で使用されてもよい。例示的な実施形態では、装置５０は、試験手順の間、患者に不相応な不快さを引き起こすことなく、患者が容易に保持したり身につけたりできる軽量デバイスとして実装される。図３には示されていないが、装置５０（特に筐体５６）は、装置５０のユーザーがコマンドおよび／または患者固有のデータをプロセッサ６０に入力できるようにするためのユーザー・インターフェースおよび／または装置５０が外部電源とは独立に動作させられる場合のバッテリーのような内部電源といった、追加的なコンポーネントを含んでいてもよいことは理解されるであろう。
【００５２】
もう一つの代替的な方法によれば、患者がOSAをもつかどうかを判定するために、OSAに関連する特徴的な変調（たとえば30〜40Hzまたは他の何らかの周波数範囲（単数または複数））を識別するために、増大した筋（たとえばGG筋）活動から帰結する震顫が、覚醒中に直接測定されることができると仮定されている。この方法では、OSAをもつかどうかを判定に関連する特徴的な変調を検出するために、気道筋運動神経電位変化（すなわち、筋細胞によって生成される電位変化）が筋電図（EMG）感知技法を用いて検出される。図４は、患者が起きている間に患者から収集される、喉の筋電位変化の検出に基づくデータに基づく患者のOSA検出において使用されることのできる例示的な装置７０を示している。この例示的な実施形態では、装置７０は、首および／または頭部の諸位置（たとえば、下顎のすぐ下の首の左右の側および／または首の下部の前後、顎の左右の側、顎の下にキャンターされ（cantered）顔または首の表面上に戻り電極を置くなど）に選択的に配置されるよう構成されている二つ以上の表面電極を有するEMGセンサー７２を有する。EMGセンサー７２は、オトガイ舌筋（GG）筋肉または気道および頭部の他の関係する神経または筋肉の舌下神経（CN  XII）活性化を示すEMG信号を検出する。たった今述べた表面電極の代替として、より侵襲的ではあるが、EMGセンサー７２は、筋内EMGを測定するために筋組織中に挿入されるよう適応された針電極を有していてもよい。図４に見られるように、装置７０は、プロセッサ７６、メモリ７８およびディスプレイ８０を収容する主筐体７４をも含む。
【００５３】
動作では、EMGセンサー７２によって収集されたEMG信号がプロセッサ７６に与えられる。プロセッサ７６は、（一つまたは複数のソフトウェア・プログラム・ルーチンを使って）患者がOSAをもつかどうかを判定するために、もしあればOSAに関連する特徴的な変調（たとえば30〜40Hzまたは他の何らかの周波数範囲（単数または複数））をEMG信号中に識別するために、信号を調べる（EMG信号はすべての近隣の筋活動からの筋電位信号の集合であるので、特徴的な周波数は信号エネルギーの少なくとも一部の反復的な変調となる）。プロセッサ７６はディスプレイ８０に接続され、ディスプレイ８０は処理の結果の視覚的な指示を与える。プロセッサ７６はメモリ７８にも接続されており、メモリ７８が、プロセッサ７６による処理に先立つEMG信号を、該EMG信号に対してプロセッサ７６によって実行された処理の任意の結果（単数または複数）とともに記憶できるようになっている。例示的な実施形態では、装置７０は、試験手順の間、患者に不相応な不快さを引き起こすことなく、患者が容易に保持したり身につけたりできる軽量デバイスとして実装される。図４には示されていないが、装置７０（特に筐体７４）は、装置７０のユーザーがコマンドおよび／または患者固有のデータをプロセッサ７６に入力できるようにするためのユーザー・インターフェースおよび／または装置７０が外部電源とは独立に動作させられる場合のバッテリーのような内部電源といった、追加的なコンポーネントを含んでいてもよいことは理解されるであろう。
【００５４】
もう一つの代替的な方法によれば、患者がOSAをもつかどうかを判定するために、OSAに関連する特徴的な変調（たとえば30〜40Hzまたは他の何らかの周波数範囲（単数または複数））を識別するために、増大した筋（たとえばGG筋）活動から帰結する震顫が、覚醒中に活動測定（actimetry）（活動記録法（actigraphy）としても知られる）を使って直接測定される。より特定的には、この方法では、特徴的な変調を識別するために、首の動きをモニタリングするために活動測定が使われる。図５は、患者が起きている間に患者から収集される、活動測定を用いるデータに基づく患者のOSA検出において使用されることのできる例示的な装置９０を示している。この例示的な実施形態では、装置９０は、呼吸筋の震顫動きを検出するために首および／または頭部の諸位置に選択的に配置されるよう構成されている一つまたは複数の活動測定センサー９２を有する。例示的な実施形態では、活動測定センサー９２のそれぞれは、外部振動に起因するもののような望ましくない信号をフィルタ除去するフィルタに結合された、圧電または他の電子式もしくは光学式の加速度計を有する。活動測定センサー（単数または複数）９２は、首、舌および／または喉の筋肉（たとえばオトガイ舌筋（GG）筋肉）の動きを示す電気信号を生成する。図５に見られるように、装置９０は、プロセッサ９６、メモリ９８およびディスプレイ１００を収容する主筐体９４をも含む。
【００５５】
動作では、活動測定センサー９２によって生成された電気信号がプロセッサ９６に与えられる。プロセッサ９６は、（一つまたは複数のソフトウェア・プログラム・ルーチンを使って）患者がOSAをもつかどうかを判定するために、もしあればOSAに関連する特徴的な変調（たとえば30〜40Hzまたは他の何らかの周波数範囲（単数または複数））を信号中に識別するために、信号を調べる。プロセッサ９６はディスプレイ１００に接続され、ディスプレイ１００は処理の結果の視覚的な指示を与える。プロセッサ９６はメモリ９８にも接続されており、メモリ９８が、プロセッサ９６による処理に先立って活動測定センサー９２によって生成された電気信号を、活動測定センサー９２によって生成された電気信号に対してプロセッサ９６によって実行された処理の任意の結果（単数または複数）とともに記憶できるようになっている。例示的な実施形態では、装置９０は、試験手順の間、患者に不相応な不快さを引き起こすことなく、患者が容易に保持したり身につけたりできる軽量デバイスとして実装される。図５には示されていないが、装置９０（特に筐体９４）は、装置９０のユーザーがコマンドおよび／または患者固有のデータをプロセッサ９６に入力できるようにするためのユーザー・インターフェースおよび／または装置９０が外部電源とは独立に動作させられる場合のバッテリーのような内部電源といった、追加的なコンポーネントを含んでいてもよいことは理解されるであろう。
【００５６】
図６は、患者が起きている間に患者から収集される、喉の筋電位変化および活動測定の両方に基づくデータに基づく、患者のOSA検出において使用されることのできる例示的な装置７０′を示している。装置７０′は図４に示した装置７０と同様であり、よって同様の構成要素は同様の参照符号でラベル付けされている。この実施形態において、EMGセンサー７２によって収集されたEMG信号は、もしあればOSAに関連する特徴的な変調（たとえば30〜40Hzまたは他の何らかの周波数範囲（単数または複数））を識別するために本稿の他所で述べたように調べられ、活動測定センサー９２によって生成された電気信号は、EMG信号から望まれない動き関係のアーチファクトを除去するために解析され、利用される。
【００５７】
さらにもう一つの代替的な方法によれば、患者がOSAをもつかどうかを判定するために、OSAに関連する特徴的な変調（たとえば30〜40Hzまたは他の何らかの周波数範囲（単数または複数））を識別するために、増大した筋（たとえばGG筋）活動から帰結する震顫が、覚醒中に超音波寸法測定を使って直接測定される。筋肉の組織厚測定は、心臓壁の厚さが心臓病学において使われるのと同様に無呼吸を示すことができる、および／またはオトガイ舌筋および／または他の気道開放筋の、主題（subject）に特徴的な動き（たとえば30〜40Hzの動き）を検出するために筋寸法（muscle  dimensions）が動的に測定されることができる。舌または喉または他の気道構造のサイズの動きは、上気道の増大した代償性筋活動によって引き起こされる変調を検出するのと同じ仕方で測定されてもよい。
【００５８】
図７は、患者が起きている間に患者から収集される、超音波測定を用いるデータに基づく患者のOSA検出において使用されることのできる例示的な装置１１０を示している。この例示的な実施形態では、装置１１０は、超音波トランスデューサ・プローブ１１２を有する。これは、当技術分野においてよく知られているように、身体を通過する超音波を放出し、超音波が体内のオブジェクトに当たったときに引き起こされる戻りエコーを検出するよう構成されている。これらの戻りエコーが、それらのオブジェクトのサイズ、形およびプローブからの距離を識別するために使われる。通例、超音波トランスデューサ・プローブ１１２が簡単に滑動できるようにし、体内への音波の伝達を増大させるために、スキャンしなければならない内部構造の上にある皮膚の領域を潤滑させるよう、ジェルが塗布される。
【００５９】
例示的な実施形態では、超音波トランスデューサ・プローブ１１２は首、舌および／または喉の筋肉（たとえばオトガイ舌筋（GG）筋肉）の寸法（dimensions）および動きを示す電気信号を生成する。図７に見られるように、装置１１０は、プロセッサ１１６、メモリ１１８およびディスプレイ１２０を収容する主筐体１１４をも含む。
【００６０】
動作では、返ってきた音波（エコー）に基づいて超音波トランスデューサ・プローブ１１２によって生成された電気信号がプロセッサ１１６に与えられる。プロセッサ１１６は、（一つまたは複数のソフトウェア・プログラム・ルーチンを使って）患者がOSAをもつかどうかを判定するために、もしあればOSAに関連する特徴的な変調（たとえば30〜40Hzまたは他の何らかの周波数範囲（単数または複数））を信号中に識別するために、信号を調べる。プロセッサ１１６はディスプレイ１２０に接続され、ディスプレイ１２０は処理の結果の視覚的な指示を与える。プロセッサ１１６はメモリ１１８にも接続されており、メモリ１１８が、プロセッサ１１６による処理に先立って超音波トランスデューサ・プローブ１１２によって生成された電気信号を、超音波トランスデューサ・プローブ１１２によって生成された電気信号に対してプロセッサ１１６によって実行された処理の任意の結果（単数または複数）とともに記憶できるようになっている。例示的な実施形態では、装置１１０は、試験手順の間、患者に不相応な不快さを引き起こすことなく、患者が容易に保持したり身につけたりできる軽量デバイスとして実装される。図７には示されていないが、装置１１０（特に筐体１１４）は、装置１１０のユーザーがコマンドおよび／または患者固有のデータをプロセッサ１１６に入力できるようにするためのユーザー・インターフェースおよび／または装置１１０が外部電源とは独立に動作させられる場合のバッテリーのような内部電源といった、追加的なコンポーネントを含んでいてもよいことは理解されるであろう。
【００６１】
装置１１０は、OSAに関連する気道の特徴的な変調（たとえば30〜40Hzまたは他の何らかの周波数範囲（単数または複数））を検出するために、超音波速度測定を行うために使われてもよい。舌の表面または内部の特徴の速度は、本稿に記載される主題となる震顫動きに特徴的な振動をもつであろう。舌または喉または他の気道構造の動きは、上気道の増大した代償性筋活動によって引き起こされる変調を検出するために、超音波を使って測定されてもよい。特に、超音波トランスデューサ・プローブ１１２は、超音波パルスを放出して、結果として生じる反射を収集するために使われてもよい。OSAを診断するために、オトガイ舌筋および／または他の気道開放筋の特徴的な動き（たとえば30〜40Hzの動き）を検出するために、ドップラー・ベースの動き測定が使われる。
【００６２】
さらにもう一つの代替的な方法によれば、患者がOSAをもつかどうかを判定するために、OSAに関連する特徴的な変調（たとえば30〜40Hzまたは他の何らかの周波数範囲（単数または複数））を識別するために、増大した筋（たとえばGG筋）活動から帰結する震顫が、覚醒中に音生成および検出を使って測定される。より具体的には、この方法では、特定のトーン（tone）またはより複雑な波形をもつ音生成器を使って患者の喉の中に向けて音を放出する。もとの音に応答して患者によって放出される音が検出され、放出される音と検出される音との間の変化が、OSAに関連する特徴的な変調があるかどうかを判定するために、解析される。
【００６３】
図８は、患者が起きている間に患者から収集される、たった今述べた音生成および検出を用いるデータに基づく患者のOSA検出において使用されることのできる例示的な装置１３０を示している。この例示的な実施形態では、装置１３０は、音放出器１３４および音検出器１３６を含む音モジュール１３２を有する。音放出器１３４は、（特定のトーンまたはより複雑な波形をもつ）（可聴）音の（sonic）、音より低い（subsonic）または超音波の（ultrasonic）音波を放出するよう構成される装置であり、たとえば、限定するわけではないが、小型のオーディオ・スピーカーおよび較正されたマイクロホンまたは業務用の室内オーディオ解析器（これはチャンバまたは部屋の吸音または共鳴属性を検出するために静的または時間変動するトーン（単数または複数）を放出する）と同様の構成を有していてもよい。音検出器１３６は、音放出器１３４によって生成された音に応答して患者によって生成される音を検出するよう構成された装置であり、たとえば、限定するわけではないが、マイクロホンを有していてもよい。さらに、音モジュール１３２は、口の外部付近または口もしくは喉の中に選択的に位置されるよう、あるいは選択的に患者の喉を通って咽頭領域中に挿入されるよう構成される。記述されたように位置されたとき、音検出器１３６は気道の一つまたは複数のチャンバの共鳴を検出するよう構成される。さまざまな選択されたオーディオ放出の呈示は、呼吸系のさまざまな部分を「探査する」ために使われてもよい。一例として、口腔の共鳴周波数は、より長くより狭い気管や一層狭い気管支の通路とは異なる。気管の少なくとも一つの共鳴周波数に近い放出音を選択することにより、システムは、気管の動きまたは寸法変化に対してより敏感になり、気管支の通路または口腔の動きや寸法変化にはそれほど敏感でなくなる。図８に見られるように、装置１３０は、プロセッサ１４０、メモリ１４２およびディスプレイ１４４を収容する主筐体１３８をも含む。
【００６４】
患者の口または気管の空洞は、本稿の他所で述べた気道筋の特徴的な震顫によって変調されると期待される。結果として、もとの音に応答して患者によって放出される音の共鳴周波数の振幅は、震顫によって引き起こされる気道の寸法の小さな変化によって変調される。よって、動作では、音放出器１３４は本稿の他所で述べた音を放出するようにされ、音検出器１３６がそれに応答して患者によって生成される音を検出する。音検出器１３６によって生成された音信号がプロセッサ１４０に与えられる。プロセッサ１４０は、もしあればOSAに関連する特徴的な変調（たとえば30〜40Hzまたは他の何らかの周波数範囲（単数または複数））を信号から（かつもともと放出された音に基づいて）識別するために、信号を調べる。プロセッサ１４０はディスプレイ１４４に接続され、ディスプレイ１４４は処理の結果の視覚的な指示を与える。プロセッサ１４０はメモリ１４２にも接続されており、メモリ１４２が、プロセッサ１４０による処理に先立って音検出器１３６によって生成された音信号を、プロセッサ１４０によって実行された処理の任意の結果（単数または複数）とともに記憶できるようになっている。例示的な実施形態では、装置１３０は、試験手順の間、患者に不相応な不快さを引き起こすことなく、患者が容易に保持したり身につけたりできる軽量デバイスとして実装される。図８には示されていないが、装置１３０（特に筐体１３８）は、装置１３０のユーザーがコマンドおよび／または患者固有のデータをプロセッサ１４０に入力できるようにするためのユーザー・インターフェースおよび／または装置１３０が外部電源とは独立に動作させられる場合のバッテリーのような内部電源といった、追加的なコンポーネントを含んでいてもよいことは理解されるであろう。
【００６５】
もう一つの代替的な方法によれば、患者がOSAをもつかどうかを判定するために、OSAに関連する特徴的な変調（たとえば30〜40Hzまたは他の何らかの周波数範囲（単数または複数））を識別するために、増大した筋（たとえばGG筋）活動から帰結する震顫が、気道音を検出することにより、覚醒中に測定される。より具体的には、（患者が呼吸する間に）気道を通じて進む空気の音が本稿の他所で述べたOSAに関連する特徴的な筋運動によって変調される。呼吸する際に空気が気道を通るにつれて、被験者の動きによって引き起こされる喉の寸法のわずかな変化によって乱流が変化させられるからである。この方法は、呼吸する音のOSAに関連する特徴的な変調（たとえば30〜40Hzまたは他の何らかの周波数範囲（単数または複数））を検出するために一般的な信号処理方法を用いる。
【００６６】
図９は、患者が起きている間に患者から収集される、たった今述べた気道音検出を用いるデータに基づく患者のOSA検出において使用されることのできる例示的な装置１５０を示している。この例示的な実施形態では、装置１５０は、呼吸する間に患者によって生成される気道音を検出するよう構成されており、たとえば、限定するものではないが、マイクロホンを含んでいてもよい音検出器１５２を含む。さらに、音検出器１５２は、口の外部付近または口もしくは喉の中に選択的に位置されるよう、あるいは患者の喉を通って咽頭領域中に選択的に挿入されるよう構成される。図９に見られるように、装置１５０は、プロセッサ１５６、メモリ１５８およびディスプレイ１６０を収容する主筐体１５４をも含む。
【００６７】
動作では、音検出器１５２は呼吸する間に患者によって生成される気道音を検出する。音検出器１５２によって検出される音信号はプロセッサ１４０に与えられる。該プロセッサは、もしあればOSAに関連する特徴的な変調（たとえば30〜40Hzまたは他の何らかの周波数範囲（単数または複数））を信号から識別するために、信号を調べる。プロセッサ１５６はディスプレイ１６０に接続され、ディスプレイ１６０は処理の結果の視覚的な指示を与える。プロセッサ１５６はメモリ１５８にも接続されており、メモリ１５８が、プロセッサ１５６による処理に先立って音検出器１５２によって検出された音信号を、プロセッサ１５６によって実行された処理の任意の結果（単数または複数）とともに記憶できるようになっている。例示的な実施形態では、装置１５０は、試験手順の間、患者に不相応な不快さを引き起こすことなく、患者が容易に保持したり身につけたりできる軽量デバイスとして実装される。図９には示されていないが、装置１５０（特に筐体１５４）は、装置１５０のユーザーがコマンドおよび／または患者固有のデータをプロセッサ１５６に入力できるようにするためのユーザー・インターフェースおよび／または装置１５０が外部電源とは独立に動作させられる場合のバッテリーのような内部電源といった、追加的なコンポーネントを含んでいてもよいことは理解されるであろう。
【００６８】
さらにもう一つの代替的な方法によれば、患者がOSAをもつかどうかを判定するために、OSAに関連する特徴的な変調（たとえば30〜40Hzまたは他の何らかの周波数範囲（単数または複数））を識別するために、増大した筋（たとえばGG筋）活動から帰結する震顫が、それによって引き起こされるひずみを検出することにより、覚醒中に測定される。図１０は、そのようなOSA検出方法を実装するために使用できる例示的な装置１７０を示している。装置１７０は、首、舌および／または喉の筋肉（たとえばオトガイ舌筋（GG）筋肉）によって引き起こされる動きを、そのような動きによって引き起こされるひずみを検出することによって検出するよう構成されたひずみ検出器１７２を含む。例示的な実施形態では、ひずみ検出器１７２は、たとえば、限定するわけではないが、ポリマー材料、スチールまたは他の金属、弾性材料またはファイバー複合材料からできた柔軟な基板１７４に一つまたは複数のひずみゲージ１７６が取り付けられているものを有する。柔軟な基板１７４は、その長さにわたってまたはその両端で接着剤または機械的な保持機構によって頭および／または首の他の皮膚または構造に対してまたは口の内部に固定されるよう構成される。各ひずみゲージ１７６はたとえば、箔ひずみゲージであってもよいが、他の型のひずみゲージを用いてもよい。当技術分野において知られているように、典型的な箔ひずみゲージは、金属箔パターンを支持する絶縁性の柔軟な裏打ち材からなる。ひずみゲージが取り付けられるオブジェクトが変形させられると、箔が変形し、その抵抗が変化する。通例ホイートストン・ブリッジを使って測定されるこの抵抗変化が、ゲージ因子として知られる量によって、ひずみに変換される。図１０に見られるように、装置１７０は、プロセッサ１８０、メモリ１８２およびディスプレイ１８４を収容する主筐体１７８をも含む。
【００６９】
動作では、首、舌および／または喉の筋肉によって引き起こされた動きに応答して各ひずみゲージによって生成される電気的なひずみ信号がプロセッサ１８０に与えられる。プロセッサ１８０は、（一つまたは複数のソフトウェア・プログラム・ルーチンを使って）もしあればOSAに関連する特徴的な変調（たとえば30〜40Hzまたは他の何らかの周波数範囲（単数または複数））を信号から識別するために、前記ひずみ信号を調べる。プロセッサ１８０はディスプレイ１８４に接続され、ディスプレイ１８４は処理の結果の視覚的な指示を与える。プロセッサ１８０はメモリ１８２にも接続されており、メモリ１８２が、プロセッサ１８０による処理に先立つひずみ信号を、プロセッサ１８０によって実行された処理の任意の結果（単数または複数）とともに記憶できるようになっている。例示的な実施形態では、装置１７０は、試験手順の間、患者に不相応な不快さを引き起こすことなく、患者が容易に保持したり身につけたりできる軽量デバイスとして実装される。図１０には示されていないが、装置１７０（特に筐体１７８）は、装置１７０のユーザーがコマンドおよび／または患者固有のデータをプロセッサ１８０に入力できるようにするためのユーザー・インターフェースおよび／または装置１７０が外部電源とは独立に動作させられる場合のバッテリーのような内部電源といった、追加的なコンポーネントを含んでいてもよいことは理解されるであろう。
【００７０】
さらに、装置１７０または本稿に記載される他の実施形態に関連して、望まれないアーチファクトを除くよう患者の頭および体の動きを拘束するために、限定するわけではないが顎載せ台（chin  rest）のようなさまざまな拘束器具が使用されてもよい。また、仰向けまたは直立ポジションのようなさまざまな異なる患者姿勢が、本稿に記載されるさまざまな実施形態においてなされる測定の信号対雑音にとって、あるいは測定される効果を高めたり減衰させたりするために、有益でありうる。
【００７１】
さらにもう一つの代替的な方法によれば、患者がOSAをもつかどうかを判定するために、OSAに関連する特徴的な変調（たとえば30〜40Hzまたは他の何らかの周波数範囲（単数または複数））を識別するために、増大した筋（たとえばGG）活動から帰結する震顫が、嚢（bladder）からの流体の体積または排除量（displacement）の体積変化を検出することによって、覚醒中に測定される。図１１は、そのようなOSA検出方法を実装するために使用できる例示的な装置１９０を示している。図示した実施形態では、装置１９０は、貯留部１９４に流体的に結合された、流体（すなわち空気または液体）で満たされた嚢１９２を含んでいる。嚢１９２にはセンサー１９６が動作上結合されており、作用する力の結果として嚢１９２から貯留部１９４中に排除される流体の量を測定するよう構成されている。この実施形態では、嚢と貯留部との間の流れセンサーまたは貯留部内の圧力センサーが、嚢の体積の変動をモニタリングするために使用されてもよい。この体積が首および内部筋肉の動きによって変調される。ある代替的な実施形態では、貯留部１９４は存在せず、センサー１９６が、作用する力の結果としての嚢１９２の体積変化を測定するよう構成される。この実施形態では、センサー１９６は圧力センサーであってもよい。嚢１９２が比較的薄く、たとえば下顎のすぐ下の首の輪郭に密に一致し、体から離れた外側表面がより剛性またはより厚いならば、喉表面の動きは、嚢内の圧力の小さなゆらぎに変換され、これがセンサー１９６によって感知されてもよい。
【００７２】
図１１に見られるように、装置１９０は、プロセッサ２００、メモリ２０２およびディスプレイ２０４を収容する主筐体１９８をも含む。
【００７３】
動作では、嚢１９２（およびもしあれば貯留部１９４）は患者の下顎の下に、首に沿って／のまわりに、あるいは口の中に配置される（一つまたは複数のストラップのような好適な取り付け手段が用いられてもよい）。嚢１９２がそのように位置されると、首、舌および／または喉の筋肉の動きによって引き起こされた力が嚢１９２に作用し、流体の一部が排除されてもしあれば貯留部１９４中に移行するか、嚢の容積が変化する。これがセンサー１９６によって感知され、センサー１９６によって生成される電気信号がプロセッサ２００に与えられる。プロセッサ２００は、（一つまたは複数のソフトウェア・プログラム・ルーチンを使って）もしあればOSAに関連する特徴的な変調（たとえば30〜40Hzまたは他の何らかの周波数範囲（単数または複数））を信号から識別するために、信号を調べる。プロセッサ２００はディスプレイ２０４に接続され、ディスプレイ２０４は処理の結果の視覚的な指示を与える。プロセッサ２００はメモリ２０２にも接続されており、メモリ２０２が、プロセッサ２００による処理に先立つセンサー信号を、プロセッサ２００によって実行された処理の任意の結果（単数または複数）とともに記憶できるようになっている。例示的な実施形態では、装置１９０は、試験手順の間、患者に不相応な不快さを引き起こすことなく、患者が容易に保持したり身につけたりできる軽量デバイスとして実装される。図１１には示されていないが、装置１９０（特に筐体１９８）は、装置１９０のユーザーがコマンドおよび／または患者固有のデータをプロセッサ２００に入力できるようにするためのユーザー・インターフェースおよび／または装置１９０が外部電源とは独立に動作させられる場合のバッテリーのような内部電源といった、追加的なコンポーネントを含んでいてもよいことは理解されるであろう。
【００７４】
もう一つの代替的な方法によれば、患者がOSAをもつかどうかを判定するために、OSAに関連する特徴的な変調（たとえば30〜40Hzまたは他の何らかの周波数範囲（単数または複数））を識別するために、増大した筋（たとえばGG筋）活動から帰結する震顫が、音響咽頭計測（acoustic  pharyngometry）を使って、覚醒中に測定される。当技術分野で知られているように、音響咽頭計測は、患者が呼吸している間に声門を過ぎた口気道（oral  airway）の寸法を決定する動的試験である。特に、音響咽頭計測は、吸気中の患者の上気道の少なくとも一部の断面積を測定するために音響反射技法を使う。
【００７５】
図１２は、OSA検出のそのような音響咽頭計測法を実装するために使用できる例示的な装置２１０を示している。装置２１０は、音パルスを生成する音源と、音を検出する二つのマイクロホンと、波管部（wave  tube  portion）と、該波管部に結合されたマウスピースとを有する咽頭計２１２を含む。装置２１０はまた、プロセッサ２１６、メモリ２１８およびディスプレイ２２０を収容する主筐体２１４をも含む。動作では、咽頭計２１２が連続的に音パルスを音源から波管部に沿って、マウスピースを通じて患者の気道中に伝搬させる。入射音波が患者の気道に沿って進行するにつれて、気道内での音響インピーダンスの軸方向勾配のため反射波が生成される。入射音信号および反射音信号の両方が咽頭計２１２内のマイクロホンによって記録される。これらの信号はプロセッサ２１６に出力される。プロセッサ２１６は、既知の技法を使って、患者の気道の長さの少なくとも一部に沿って、患者の気道の断面積を決定するためにこれらの信号を使う。プロセッサ２１６による気道からの入射および反射音波の処理は、管腔を表す面積距離曲線を与え、それから患者の上気道の極小断面積および体積が導出できる。音響咽頭計およびその動作のより詳細な議論は非特許文献２を参照されたい。その内容はここに参照によって組み込まれる。咽頭計２１２としての使用に好適な咽頭計の一例は、商標「Eccovision  Acoustic  Pharyngometry  System」のもとにフード・インダストリーズ社によって製造される装置である。しかしながら、一マイクロホン咽頭計を含め他の咽頭計装置を本発明において使うこともできることは理解しておくものとする。
【００７６】
本実施形態のあるさらなる側面によれば、たった今述べたようにしてプロセッサ２１６が患者の上気道の動的な状態の測定を行ったのち、プロセッサ２１６はさらにそれらの測定結果を解析して、それから気道の一点、一組の点または長さ全体にわたって患者の気道の寸法がOSAに関連する特徴的な変調（たとえば30〜40Hzまたは他の何らかの周波数範囲（単数または複数））に従って変動しているかどうかを判定する。プロセッサ２１６はディスプレイ２２０に接続され、ディスプレイ２２０は処理の結果の視覚的な指示を与える。プロセッサ２１６はメモリ２１８にも接続されており、メモリ２１８が、プロセッサ２１６による処理に先立つ寸法測定結果を、プロセッサ２１６によって実行された処理の任意の結果（単数または複数）とともに記憶できるようになっている。例示的な実施形態では、装置２１０は、試験手順の間、患者に不相応な不快さを引き起こすことなく、患者が容易に保持したり身につけたりできる軽量デバイスとして実装される。図１２には示されていないが、装置２１０（特に筐体２１４）は、装置２１０のユーザーがコマンドおよび／または患者固有のデータをプロセッサ２１６に入力できるようにするためのユーザー・インターフェースおよび／または装置２１０が外部電源とは独立に動作させられる場合のバッテリーのような内部電源といった、追加的なコンポーネントを含んでいてもよいことは理解されるであろう。
【００７７】
さらに、プロセッサ２１６と協働して咽頭計２１２によってなされる患者上気道の測定は、当技術分野において知られているいくつもの方法論のいずれかに従ってOSAを示すと見出されている気道寸法特性を（本稿に記載される特徴的な震顫に基づかずに）検出するために、別個に調べられてもよい。そのような方法論の一つが、「Breathing  Disorder  Prescreening  Device  and  Method」と題する本発明の被譲渡者に譲渡されたGaumondらに対する特許文献２に記載されている。その開示はここに参照によって組み込まれる。
【００７８】
もう一つの代替的な方法によれば、増大した筋（たとえばGG筋）活動から帰結する震顫が、OSAを患う人における覚醒中の（前記特徴的な周波数（単数または複数）での）喉または顎を横断してのインピーダンスを変調し、それが誘発電位／神経伝導を使って検出／測定される。誘発電位／神経伝導は、針電極によって標的神経の近くまたは内部に配置される神経電位感知電極に関わり、第二の電極または機械的刺激電力が前記標的神経または上流の神経（すなわち、感知される標的神経を神経刺激する別の神経部位）を刺激するために適用される。前記刺激に応答して発火する標的神経の反応時間、発火レートまたは振幅が、誘発電位測定において測定され、伝搬時間および／または前記刺激に対する標的神経の反応の強度が神経伝導測定において測定される。この実施形態では、誘発電位は、個々の神経または神経の群の発火レートにおいて30〜40Hz（または他の特徴的な周波数）を探すことによって、GG筋または患者の首、舌および／または喉の他の筋肉の特徴的な震顫／動きを測定するために使用されうる。GG筋または患者の首、舌および／または喉の他の筋肉の疲労に関係した動きは、測定されたレートに変調を誘発する。OSA襲撃に起因する潜在的な疲労がGG筋または患者の首、舌および／または喉の他の筋肉および／または接続された神経にまたはそれらに沿って伝送される神経パルスの反応時間または強度を変えることを実証するために、神経伝導が使用できる。
【００７９】
図１３は、患者が起きている間に患者から収集される、誘発電位／神経伝導に基づくデータに基づく患者のOSA検出において使用されることのできる例示的な装置２２２を示している。この例示的な実施形態では、装置２２２は一つまたは複数の刺激電極２２３および一つまたは複数の感知電極２２４を有する。装置２２２は、前記一つまたは複数の刺激電極２２３を駆動する電源２２６、プロセッサ２２７、メモリ２２８およびディスプレイ２２９を収容する主筐体２２５をも含む。
【００８０】
動作では、前記一つまたは複数の刺激電極２２３が標的神経または上流の神経を刺激するようにされ、標的神経の反応が前記一つまたは複数の感知電極２２４によって測定される。前記一つまたは複数の感知電極２２４によって収集された電気信号が、プロセッサ２２７に与えられる。プロセッサ２２７は、誘発電位が用いられる場合には、前記刺激に応答して発火する標的神経の反応時間、発火レートまたは振幅を決定し、神経伝導が用いられる場合には、前記刺激に対する標的神経の伝搬時間および／または反応の強度が測定される。次いでプロセッサ２２７は、患者がOSAをもつかどうかを判定するために、もしあればOSAに関連する特徴的な変調（たとえば30〜40Hzまたは他の何らかの周波数範囲（単数または複数））を識別するために、それらのパラメータを（一つまたは複数のソフトウェア・プログラム・ルーチンを使って）解析する。プログラムされたプロセッサ２２７はディスプレイ２２９に接続され、ディスプレイ２２９は処理の結果の視覚的な指示を与える。プロセッサ２２７はメモリ２２８にも接続されており、メモリ２２８が、プロセッサ２２７による処理に先立って前記一つまたは複数の感知電極２２４によって収集された電気信号を、該電気信号に対してプロセッサ２２７によって実行された処理の任意の結果（単数または複数）とともに記憶できるようになっている。
【００８１】
このように、本稿では、OSAに関連する増大した筋（たとえばGG筋）活動から帰結する特徴的な震顫を検出することによってOSAを検出するためのいくつもの異なる装置および方法が記載されてきた。さらなる実施形態では、向上した精度でOSAを検出するために、これらの方法および／または装置の二つ以上が組み合わせて使用される。図１４は、本稿に記載される特徴的な震顫を検出する複数の方法および／または装置を用いるOSA検出のための例示的な装置２３０を示している。装置２３０は、第一の特徴的震顫に基づく感知モジュール２３２Ａと、第二の特徴的震顫に基づく感知モジュール２３２Ｂとを含んでいる。第一の特徴的震顫に基づく感知モジュール２３２Ａは、図１および図３〜図１２との関連で本稿で述べた感知モジュールのいずれであってもよく、よって流れ測定装置４（図２）、電極５２および５４（図３）、EMGセンサー７２（図４）、活動測定センサー９２（図５）、EMGセンサー７２および活動測定センサー９２（図６）、超音波トランスデューサ・プローブ１１２（図７）、音モジュール１３２（図８）、音検出器１５２（図９）、ひずみ検出器１７２（図１０）、嚢１９２およびセンサー１９６を含む嚢システム（図１１）、咽頭計２１２（図１２）、刺激電極２２３および感知電極２２４（図１３）であってもよい。第二の特徴的震顫に基づく感知モジュール２３２Ｂは、第一の特徴的震顫に基づく感知モジュール２３２Ａと異なるものなら、たった今述べた感知モジュールのいずれであってもよい。装置２３０はプロセッサ２３６、メモリ２３８およびディスプレイ２４０を収容する主筐体２３４をも含む。
【００８２】
動作では、第一および第二の特徴的震顫に基づく感知モジュール２３２Ａ、２３２Ｂは、本稿で述べたような測定を行い、プロセッサ２３６と連携して、（やはり本稿で述べたように）それらの測定に基づいて特徴的震顫が識別できるかどうかを判定する。次いでプロセッサ２３６はその処理に基づいてOSAが存在するかどうかを判定する。ある、限定しない実施形態では、プロセッサ２３６は、第一および第二の特徴的震顫に基づく感知モジュール２３２Ａ、２３２Ｂ両方によってなされた測定に基づいて特徴的震顫が識別できる場合にのみOSAが存在すると判定する。さらに、図１４には特徴的震顫に基づく感知モジュール２３２が二つしか示されていないが、それは単に例であって、二つより多くのそのようなモジュールが用いられてもよいことは理解されるであろう。そのような場合、プロセッサ２３６は、特徴的震顫に基づく感知モジュールすべてによってなされた測定に基づいて特徴的震顫が識別できる場合にのみOSAが存在すると判定してもよい。あるいはまた、プロセッサ２３６は、特徴的震顫に基づく感知モジュールのうち何らかの所定の百分率または割合（たとえばそれらのモジュールの少なくとも２分の１または３分の２）によってなされた測定に基づいて特徴的震顫が識別できる場合にOSAが存在すると判定してもよい。
【００８３】
さらに、本稿で述べるようにOSAに関連する増大した筋（たとえばGG）活動から帰結する特徴的震顫を検出するために単に周波数解析を使うのではなく、無呼吸シグネチャを検出するために、限定するものではないが、振幅、面積および／または時間的もしくは逐次的パターンの解析といった、他の型の波形／信号解析を使うこともできる。
【００８４】
さらなる実施形態では、向上した精度でOSAを検出するために、OSAに関連する増大した筋（たとえばGG筋）活動から帰結する特徴的な震顫を検出することによってOSAを検出するための方法および／または装置の一つまたは複数が、特徴的震顫を検出することに基づかないOSA検出方法と組み合わせて使用されてもよい。
【００８５】
図１５は、たった今述べた組み合わせを用いるOSA検出のための例示的な装置２５０を示している。装置２５０は、本稿の他所で述べた、特徴的震顫に基づく感知モジュール２３２を含む。装置２５０はまた、「Breathing  Sound  Analysis  For  Detection  of  Sleep  Apnea/Popnea  Events」と題するMoussavi  et  al.への特許文献３に記載されるような音響OSA検出方法をも用いる。この文献の開示はここに参照によって組み込まれる。特許文献３においてより詳細に述べられているように、記載される方法は、被験者が仰向けまたはまっすぐ座っているときに呼吸している間の首下部（すなわち胸骨上切痕）の壁を通じて伝達される音を使い、特に、150〜800Hzの周波数範囲における呼吸関係の音を処理する。それに関連して、装置２５０はさらに、収集器モジュール２５２を含む。図１５に見られるように、収集器モジュール２５２は、気道音を記録する気道マイクロホン２５４と、通常のSaO2データまたは他の酸素計測データを収集する酸素計測センサー２５６（たとえば、患者の指に配置されるよう構成された既知の光学ベースのセンサー）と、環境音を記録する外部マイクロホン２５８とを含む。特許文献３に記載されるように、気道マイクロホン２５４は、胸骨上切痕上に配置されるチャンバ内にマウントされるマイクロホンまたは耳内部の無線マイクロホンをもつ首バンドを有していてもよい。上記三つのセンサーが、音信号およびSaO2データの同時データ取得を許容する。装置２５０はまた、プロセッサ２６２、メモリ２６４およびディスプレイ２６６を収容する主筐体２６０をも含む。
【００８６】
やはり特許文献３に詳細に述べられているように、プロセッサ２６２は記録された音をノイズ除去し、いびきの音を分離し、音響的に流れを推定し、無呼吸および／または減呼吸エピソードを検出し、無呼吸および／または減呼吸エピソードの継続時間および頻度を計数する。より具体的には、音信号の信号処理は三つの段階をもつ。第一に、自動化されたアルゴリズムはアーチファクト（これは通常、信号中のインパルスとして現れる）を見出し、該アーチファクトをさらなる解析から除く。第二に、もしあればいびき音が識別され、呼吸音から分離される。最後に、きれいにされた呼吸音から、信号のエントロピーが計算され、心臓音の効果が除去され、特許文献３において詳細に述べられている大津の閾値処理法（Otsu's  thresholding  method）を使って無呼吸エピソードが検出され識別される。
【００８７】
動作では、特徴的震顫に基づく感知モジュール２３２は本稿に記載されるような測定を行い、プロセッサ２６２と連携して、（やはり本稿で述べたように）それらの測定に基づいて特徴的震顫が識別できるかどうかを判定する。次いでプロセッサ２６２はその処理およびたった今述べた収集モジュール２５２によって得られる信号に対してプロセッサ２６２によってなされる処理に基づいてOSAが存在するかどうかを判定する。ある限定しない実施形態では、プロセッサ２６２は、特徴的震顫に基づく感知モジュール２３２によってなされた測定に基づいて特徴的震顫が識別でき、かつ収集モジュール２５２によって得られた信号に基づいてもプロセッサ２６２がOSAを検出する場合にのみOSAが存在すると判定する。さらに、図１５には特徴的震顫に基づく感知モジュール２３２が一つしか示されていないが、それは単に例であって、二つ以上のそのようなモジュールが用いられてもよいことは理解されるであろう。そのような場合、プロセッサ２６２は、特徴的震顫に基づく感知モジュールすべてによってなされた測定に基づいて特徴的震顫が識別できかつ収集モジュール２５２によって得られた信号に基づいてもプロセッサ２６２がOSAを検出する場合にのみOSAが存在すると判定してもよい。あるいはまた、プロセッサ２６２は、特徴的震顫に基づく感知モジュールのうち何らかの所定の百分率または割合（たとえばそれらのモジュールの少なくとも２分の１または３分の２）によってなされた測定に基づいて特徴的震顫が識別でき、かつ収集モジュール２５２によって得られた信号に基づいてもプロセッサ２６２がOSAを検出する場合にOSAが存在すると判定してもよい。
【００８８】
特許文献３の方法の測定および特徴的震顫に基づく感知モジュール（単数または複数）２３２に基づく測定はかなりの度合いで独立であると思われる。それぞれで測定される物理的な信号が二つの異なる機構（すなわち、筋肉の動きの検出とおそらくは気道の形または抵抗によって引き起こされる気道呼吸音）に源をもち、さらに検出される両信号の周波数範囲が有意に異なるからである。
【００８９】
図１６は、本稿で述べた特徴的震顫を検出することに基づくOSA検出方法と、本稿で述べた特徴的震顫を検出することに基づかないOSA検出方法の組み合わせを用いるOSA検出のための例示的な装置２７０を示している。装置２７０は、本稿の他所で述べた特徴的震顫に基づく感知モジュール２３２を含む。装置２７０はまた、Kushidaに対する、それぞれ「Morphometric  Measuring  Tool」および「Morphometric  Modeling  System  and  Method」と題する特許文献４および特許文献５で記載されている口腔測定に基づくOSA検出方法をも用いる。これらの文献の開示はここに参照により組み込まれる。それと関連して、装置２７０はさらに、特許文献４、特許文献５に記載される口腔測定ツール２７２を含む。装置２７０はまた、プロセッサ２７６、メモリ２７８およびディスプレイ２８０を収容する主筐体２７４をも含む。
【００９０】
口腔測定ツール２７２は、患者の口蓋の最高点と患者の舌の間の距離を示す第一の値と、上下の右の中切歯の重なりを示す第二の値と、上顎の右側の臼歯と上顎の左側の臼歯の間の距離を示す第三の値と、下顎の右側の臼歯と下顎の左側の臼歯の間の距離を示す第四の値とを測定するよう構成される。プロセッサ２７６は、これらの解剖学的な値を（たとえば手動入力またはもし口腔測定ツール２７２がそのように構成されていれば該口腔測定ツール２７２からの電子的転送（有線または無線）によって）受け取り、それらの解剖学的値に基づく、その患者がOSAを患っている可能性を示すその患者についての形態計測モデル値を決定するよう構成される。ある実施形態では、形態計測モデル値は輪状甲状筋のレベルでの患者の首の周長および患者のBMIにも基づく。形態計測モデルの詳細は特許文献４および特許文献５に詳細に記載されている。
【００９１】
動作では、特徴的震顫に基づく感知モジュール２３２は本稿で記載されるような測定を行い、（やはり本稿で述べたように）それらの測定に基づいて特徴的震顫が識別できるかどうかを判定する。次いでプロセッサ２７６はその処理およびたった今述べた決定された形態計測モデル値に基づいてOSAが存在するかどうかを判定する。ある、限定しない実施形態では、プロセッサ２６２は、特徴的震顫に基づく感知モジュール２３２によってなされた測定に基づいて特徴的震顫が識別でき、かつ形態計測モデル値がOSAの可能性が高いことを示す場合にのみOSAが存在すると判定する。さらに、図１６には特徴的震顫に基づく感知モジュール２３２が一つしか示されていないが、それは単に例であって、二つ以上のそのようなモジュールが用いられてもよいことは理解されるであろう。そのような場合、プロセッサ２７６は、特徴的震顫に基づく感知モジュールすべてによってなされた測定に基づいて特徴的震顫が識別できかつ形態計測モデル値がOSAの可能性が高いことを示す場合にのみOSAが存在すると判定してもよい。あるいはまた、プロセッサ２７６は、特徴的震顫に基づく感知モジュールのうち何らかの所定の百分率または割合（たとえばそれらのモジュールの少なくとも２分の１または３分の２）によってなされた測定に基づいて特徴的震顫が識別でき、かつ形態計測モデル値がOSAの可能性が高いことを示す場合にOSAが存在すると判定してもよい。
【００９２】
さらに、近年の研究の知見によれば、血液、唾液および／または尿中の物質の特定の濃度がある種の人口集団におけるOSAの確からしさを示すという予備的な証拠が示されている。たとえば、アミノ酸のシステインは肥満および肥満でない患者におけるOSAの発達のバイオマーカーとなりうる。結果は、システイン血漿レベルが、対照被験者に比べてOSA患者ではより高かったことを示した。やせた（BMI＜25）OSA患者の部分群も対照被験者よりも高いシステイン・レベルを有していた。研究者は、システインがOSAについての潜在的なバイオマーカーであり、肥満はそのバイオマーカーとしての機能に影響しないと結論している。たとえば非特許文献３参照。
【００９３】
最後に、特徴的震顫を検出することに基づかないOSA検出方法で、本稿で具体的に記載した以外のものが用いられてもよいことを理解しておくべきである。
【００９４】
さらなる実施形態では、震顫を促進または高める／強化する（または震顫を減衰させる）ための息の流れの負荷添加（loading）／制御の使用が測定のために使われてもよい。図１７は、そのような息の流れの負荷添加／制御を用いるOSAを検出するための例示的な装置２９０を示している。装置２９０は、本稿の他所で述べた、特徴的震顫に基づく感知モジュール２３２を含む。装置２９０はまた、患者の鼻腔および／または口にかぶせて配置されるよう構成され、患者の呼吸の負荷および／またはバイアス圧を変えるために所定の量の気流抵抗または大気圧より上／下の所定の圧力レベルを提供する流れ負荷添加／制御デバイス２９２をも含む。抵抗および圧力のパラメータは呼吸の吸気および呼気フェーズにおいて、あるいは呼吸サイクル中の任意の時点において異なる仕方で変動してもよい。周囲の流れおよび／または圧力のこの変化は、患者の呼吸に立ちはだかるまたは患者の呼吸を支援し、本稿の他所で記載された特徴的震顫に基づく感知モジュール２３２によって測定されるOSAの長引く効果を高めるまたは弱める。好適な例示的な流れ負荷添加／制御装置２９２のいくつかの実施形態は特許文献６に記載されている。特許文献６は、本発明の被譲渡者に譲渡され、「System  and  method  for  Performing  Respiratory  Diagnostics」と題されており、その開示はここに参照によって組み込まれる。装置２９０は、プロセッサ２９６、メモリ２９８およびディスプレイ３００を収容する主筐体２９４をも含む。図示した実施形態では、流れ負荷添加／制御装置２９２は、主筐体２９４に結合され、プロセッサ２９６によって制御される、装置２９０の一体的な部分として設けられている。しかしながら、流れ負荷添加／制御装置２９２が主筐体２９４とは離れた別個の装置であって、単に特徴的震顫に基づく感知モジュール２３２と連携して使われることもできることは理解しておくべきである。
【００９５】
動作では、流れ負荷添加／制御装置２９２はまず、患者の鼻の開口および／または口にかぶさるように配置され、震顫を高める／強化するための患者の呼吸の負荷添加および／またはバイアス圧を変化させるために所定の量の気流抵抗または大気圧より上／下の所定の圧力レベルを提供するようにさせられる。次いで、本稿の他所で記載されたような測定を行うために、特徴的震顫に基づく感知モジュール２３２が使用される。次いでプロセッサ２９６が、（やはり本稿で述べたように）それらの測定に基づいてOSAに関連する特徴的震顫が識別できるかどうかを判定する。流れ負荷添加／制御装置２９２は、本稿に記載された具体的な実施形態のどれと一緒に使用されてもよい。
【００９６】
過度に興奮した筋活動に加えて、筋肉がその困難に立ち向かえないほど疲労している場合に、呼吸の困難または他の生理機能上の困難（たとえば発話、調音、嚥下、口笛、舌の動きなど）に対する抑制された応答を探すことも可能である。本稿に記載される感知および検出方法の範囲は、この抑制された身体的応答によって引き起こされる変動をモニタリングするために使われてもよい。
【００９７】
OSA評価の感度および／または特異性を高めるために、標準的なアンケートまたは生理的評価ツール（たとえば、OSAについてのベルリン・アンケート（Berlin  Questionnaire）、日中の眠気についてのエプワース眠気尺度（Epworth  Sleepiness  Scale）アンケート、マランパティによる喉の開き分類、BANG、BANG-STOPなど）が、本稿に記載される実施形態と連携して行われたり、該実施形態に統合されたりしてもよい。これらの標準的な評価ツールからのパラメータは本稿で述べたようなユーザー・インターフェースを通じて入力されてもよく、データは数学的に、本稿に記載される実施形態の測定されたセンサー・データと組み合わされて、OSAを予測する改善された評価を生じてもよい。
【００９８】
本稿に記載された信号および検出方法は、PSG診断セッションの一部として睡眠中に適用されてもよい。これは潜在的に、患者の診断上／表現型の評価において使用される追加的な情報を提供することができる。さらに、センサー／感知モジュールおよび診断方法は、主として療法のために使われるカニューレまたはマスクのような他のデバイスに組み込まれることもできる。
【００９９】
請求項において、括弧に入れた参照符号があったとしても、その請求項を限定するものと解釈してはならない。「有する」または「含む」の語は請求項において挙げられている以外の要素や段階の存在を排除するものではない。いくつかの手段を列挙する装置請求項において、それらの手段のいくつかが同一のハードウェア項目によって具現されてもよい。要素の単数形の表現はそのような要素の複数の存在を排除するものではない。いくつかの手段を列挙するいかなる装置請求項においても、それらの手段のいくつかが同一のハードウェア項目によって具現されてもよい。ある種の要素が互いに異なる従属請求項に記載されているというだけの事実がそれらの要素が組み合わせて使用できないことを示すものではない。
【０１００】
本発明について、現在のところ最も実用的であり好ましい実施形態であると考えられるものに基づいて例解の目的で詳述してきたが、そのような詳細はひとえにその目的のためであって、本発明が開示された実施形態に限定されるものではなく、逆に付属の請求項の精神および範囲内にある修正および等価な構成をカバーすることが意図されていることは理解しておくべきである。たとえば、本発明は、可能な限りにおいて、任意の実施形態の一つまたは複数の特徴が他の任意の実施形態の一つまたは複数の特徴と組み合われることができることを考えている。
【図１】
0006043289.tif 000002
【図２】
0006043289.tif 000003
【図３】
0006043289.tif 000004
【図４】
0006043289.tif 000005
【図５】
0006043289.tif 000006
【図６】
0006043289.tif 000007
【図７】
0006043289.tif 000008
【図８】
0006043289.tif 000009
【図９】
0006043289.tif 000010
【図１０】
0006043289.tif 000011
【図１１】
0006043289.tif 000012
【図１２】
0006043289.tif 000013
【図１３】
0006043289.tif 000014
【図１４】
0006043289.tif 000015
【図１５】
0006043289.tif 000016
【図１６】
0006043289.tif 000017
【図１７】
0006043289.tif 000018